(57)【要約】【課題】水切りされた厨芥の取り出しと、厨芥から分離された水分の処分が容易で、しかも作業者の衣服等を汚すことがない厨芥容器を提供する。【解決手段】厨芥容器１は、上端及び下端が開放された胴体２と、胴体２に内挿された籠体４を備える。籠体４は篭状に成形された水切り容器である。籠体４は底面がパンチングメタルで構成されている。籠体４の底面は、胴体２の下端よりも高い位置にある。胴体２の下端に宛われて、籠体４から落下する水分を受け止める受け皿５を備える。胴体２の上面を覆う蓋体３を備える。【選択図】図１
0003192078.tif 000002
【実用新案登録請求の範囲】
【請求項１】
上端及び下端が開放された筒状胴体と、
前記筒状胴体の内部に配設されて、厨芥の下方への移動を妨げるとともに、水分の下方への移動を許す水切り部材
を備える厨芥容器。
【請求項２】
前記水切り部材は、籠状容器である
ことを特徴とする請求項１に記載の厨芥容器。
【請求項３】
前記水切り部材は、平板状の篩板である
ことを特徴とする請求項１に記載の厨芥容器。
【請求項４】
前記水切り部材の底面は、前記筒状胴体の下端よりも高い位置にある
ことを特徴とする請求項１ないし請求項３のいずれか一項に記載の厨芥容器。
【請求項５】
前記筒状胴体の下端に宛われて、厨芥から分離された水分を受け止める水受け容器を備える
ことを特徴とする請求項１ないし請求項４のいずれか一項に記載の厨芥容器。
【請求項６】
前記筒状胴体の上面を覆う蓋部材を備える
ことを特徴とする請求項１ないし請求項５のいずれか一項に記載の厨芥容器。
【考案の詳細な説明】
【技術分野】
【０００１】
本考案は、水分を含む厨芥を一時保管あるいは運搬する厨芥容器に関するものである。
【背景技術】
【０００２】
ディスポーザから排出されるスラリー（粉砕された厨芥と水の混合物）は他の排水と一緒に公共下水道に排出されるのが一般的である。しかしながら、下水処理場等の処理能力を超える量のスラリーが排出されると、下水処理場の処理水の水質を維持できないという理由で、公共下水道へのスラリーの排出が制限される地域もある。また、粉砕された厨芥を飼料や肥料の原料として回収する場合もある。そこで、ディスポーザの下流側に固液分離回収装置を配置して、スラリーを固液分離してスラリー中の固形成分（厨芥）を回収することがある（例えば、特許文献１）。固液分離回収装置で回収された厨芥は、容器（いわゆるゴミバケツ）に収納されて、保管・運搬される。
【０００３】
さて、固液分離回収装置で回収された厨芥は、なお相応の水分を含有している。水分を含む厨芥を放置すると厨芥が腐敗し悪臭が発生する。また水分を含む厨芥は重いので、運搬には不都合である。そのため、厨芥に残存する水分の除去、つまり厨芥の水切りができる容器が求められている。
【０００４】
固液分離回収装置で回収された厨芥を対象とするものではないが、厨芥の水切りができる容器は既に多数提案されている。例えば、特許文献２に記載の生ゴミ収納容器は、開閉可能な蓋体を有する容器本体内部に、生ゴミを収容する少なくとも底部が多孔性に形成された水切り用内容器を取り外し可能に配設している。特許文献３に記載のゴミ容器は、内側容器と、この内側容器を脱抜可能に装着する外側容器とからなり、前記内側容器は桟を縦横に配列して構成された骨格部と、該骨格部の内側に形成された透水膜で構成されている。
【先行技術文献】
【特許文献】
【０００５】
【特許文献１】特開２０１２−２００７０８号公報
【特許文献２】登録実用新案第３０２００３７号公報
【特許文献３】特開２００２−１２３０２号公報
【考案の概要】
【考案が解決しようとする課題】
【０００６】
特許文献２，３に記載の生ゴミ収納容器等に収容された厨芥に含まれる水分は、水切り用内容器の底部に多数開口する孔、あるいは内側容器内側に形成された透水膜を通して落下し、厨芥（固形物）は、水切り用内容器（内側容器）に残る。
【０００７】
水切りされた厨芥が収容された生ゴミ収納容器等は、例えば堆肥製造プラントに運ばれて、そこで厨芥が取り出されるが、その際に、厨芥の入った水切り用内容器（内側容器）を外側容器から引き出して取り外す必要がある。内側容器を外側容器に組み付けたまま、厨芥を取り出そうとすれば、厨芥から分離された水分が厨芥と一緒に排出されるからである。
【０００８】
しかしながら、厨芥が収納された内側容器は相当に重く、上方に引き抜くのは困難であり、人力で行う場合は複数の人手を要するという問題がある。また、内側容器が作業者の衣服等に触れれば、衣服等が汚れるという問題もある。
【０００９】
本考案は、このような事情に鑑みてなされたものであり、水切りされた厨芥の取り出しと、厨芥から分離された水分の処分が容易な厨芥容器を提供することを目的とする。
【課題を解決するための手段】
【００１０】
上記課題を解決するため、本考案に係る厨芥容器は、上端及び下端が開放された筒状胴体と、前記筒状胴体の内部に配設されて、厨芥の下方への移動を妨げるとともに、水分の下方への移動を許す水切り部材を備える。
【００１１】
前記水切り部材は、籠状容器であっても良い。
【００１２】
前記水切り部材は、平板状の篩板であっても良い。
【００１３】
前記水切り部材の底面は、前記筒状胴体の下端よりも高い位置にあるように構成されても良い。
【００１４】
前記筒状胴体の下端に宛われて、厨芥から分離された水分を受け止める水受け容器を備えるようにしても良い。
【００１５】
前記筒状胴体の上面を覆う蓋部材を備えるようにしても良い。
【考案の効果】
【００１６】
本考案に係る厨芥容器は、筒状胴体の内部に水切り部材を備えるので、厨芥中の水分は水切り部材の下方に落下し、厨芥中の固形分は水切り部材の上方に留まる。また、筒状胴体は下端が開放されているので、厨芥から分離された水分は筒状胴体の外部に排出されて内部に溜まらない。そのため、厨芥容器から厨芥を取り出す際に、厨芥と一緒に水が流れて周囲の床面や作業者の衣服等を汚すことがない。
【００１７】
水切り部材の底面を、胴体の下端よりも高い位置にあるように構成すれば、厨芥容器を床面等に置いたときに、水切り容器の底面が床面に触れないので、床面等を汚す危険が小さい。
【００１８】
胴体の下端に宛われて、前記水切り部材から落下する水分を受け止める水受け容器を備えれば、厨芥から分離された水分が外部に流れることがないので、床面等を汚すことがない。
【００１９】
胴体の上面を覆う蓋部材を備えれば、害虫の侵入や悪臭の発散を防止できるので好ましい。
【００２０】
よって本考案によれば、水分の分離が容易で、厨芥を取り出す際に汚水で周囲の床面や作業者の衣服等を汚すことがない厨芥容器が提供されるので、厨芥の処理が容易になり、厨芥の処理に係る肉体的あるいは精神的な負荷を軽減できる。
【図面の簡単な説明】
【００２１】
【図１】本考案に係る厨芥容器の一例を示す外形図である。
【図２】厨芥容器の断面図である。
【図３】籠体と支持板の外形図である。
【図４】篩板の外形図であって、（ａ）は平面図、（ｂ）は側面図である。
【考案を実施するための形態】
【００２２】
以下、本考案を実施するための最良の形態を、適宜、図面を参照しながら説明する。
【００２３】
図１に示した厨芥容器１は、本考案の実施形態の例示であって、胴体２、蓋体３、籠体４および受け皿５とから構成される。胴体２は、上端と下端が開放された筒状の部材であって、上端から下端に向かって直径が小さくなるようにテーパーしている。蓋体３は胴体２の上端を覆う蓋部材である。籠体４は、胴体２の内部下方に内装された水切り部材である。受け皿５は胴体２の下端に装着される水受け容器である。
【００２４】
これに限定される訳ではないが、胴体２および蓋体３は、市販のポリエチレン製の蓋付きゴミバケツの底を切り取って製造することができる。つまり、市販の蓋付きゴミバケツを改造して、厨芥容器１を製造することができる。受け皿５は、胴体２を受け入れることのできる形状および寸法を備えていれば十分であり、素材には、ポリエチレンが使用される。
【００２５】
図２に示すように、籠体４は、プレス加工によって多数の小穴が開けられたステンレス鋼の薄板、いわゆるパンチングメタルをバケツ状に成形して構成される。つまり、籠体４の底面及び側面には多数の小穴が開いていて、厨芥に含まれる水分は該小穴を通過して受け皿５に落下する。言うまでもないことだが、該小穴の大きさはディスポーザで粉砕された厨芥よりも小さい。また、籠体４は、その底面が胴体２の下端より高い位置にあるように、胴体２に取り付けられて、ボルト６で胴体２に固定されている。
【００２６】
また、籠体４の下方には支持板７が配置されている。支持板７は胴体２の最下部にあって胴体２の直径方向に延びるステンレス鋼板であって、図３に示すように、側面視する場合に門型をなすよう折り曲げられている。支持板７は籠体４を下方から支えて、籠体４の落下を防ぐ部材であるが、胴体２の変形を抑制する機能もある。なお、支持板７はボルト８で胴体２に固定される。
【００２７】
また、水切り部材は籠体４には限定されない。平板状の部材であっても良い。例えば、図４に示すような、ステンレス鋼板の円板に多数の小穴を開けた篩板９であっても良い。籠体４と同じように、篩板９は、胴体２の下部に内装される。
【００２８】
厨芥容器１は、このように構成されているので、図示しない固液分離回収装置から排出された厨芥を胴体２に収容して、しばらく静置しておくと、厨芥中に残存する水分は籠体４の小穴から落下して受け皿５に溜まる。つまり厨芥から水分が分離される（水切りされる）。水切りが終わったら、胴体２を持ち上げて、胴体２を受け皿５から取り外し、受け皿５に溜まった水を処理（汚水処理装置あるいは下水道に排水）する。なお、図１から明らかなように、受け皿５は扁平な形状をしていて、受け皿５と胴体２の重なりも小さいので、胴体２を受け皿５から取り外す際に胴体２を大きく持ち上げる必要はない。したがって、胴体２を受け皿５から取り外すのは容易である。
【００２９】
受け皿５から取り外された胴体２は、図示しない床面に載置される。この時、胴体２の下端は前記床面に接していて、胴体２の上面は蓋体３で塞がれているから、望ましくない生物（例えば、ハエ、ゴキブリ等）が胴体２の内部に侵入することがない。また、悪臭等が発散することがない。また、籠体４の底面は前記床から離れているので、籠体４の底面が前記床面に触れて、前記壁面を汚すことがない。また、厨芥と籠体４は胴体２の内部にあって、胴体２に囲まれているので、厨芥容器１をハンドリングする際に作業者の衣服等を汚すこともない。
【００３０】
以上、本考案の具体的な実施態様を示したが、上記実施形態は本考案の実施態様の一例を示すものであって、本考案の技術的範囲を画すものではない。本考案は実用新案登録請求の範囲に記述された技術的思想の限りにおいて、自由に変形、応用あるいは改良して実施することができる。
【００３１】
例えば、上記実施形態では、市販のポリエチレン製の蓋付きゴミバケツの底を切り取って胴体２および蓋体３を製造することを例示したが、本考案は既存の厨芥容器を改造して製造されるものには限定されない。全く新規に製造できることは言うまでもない。
【００３２】
また、上記実施形態では、胴体２、蓋体３および受け皿５の素材として、ポリエチレンを例示したが、他の樹脂を選択できることは言うまでもない。もちろん、樹脂以外の材料、例えば、金属を選択しても良い。
【００３３】
水切り部材の具体例として、籠体４と篩板９を例示したが、水切り部材の形態と形状はこのようなものには限定されない。要するに、固体（厨芥）の通過（落下）を防ぐとともに、液体（水分）を容易に通過（落下）させる機能を備えていれば、形態や形状は限定されない。例えば、金属線を編んで構成した網籠であっても良いし、いわゆるグレーチング状の部材であってもよい。水切り部材の素材がステンレス鋼に限定されないことは言うまでもない。
【００３４】
また、籠体４及び支持板７を胴体２に固定する手段はボルト６，８には限定されない。なお、支持板７が任意的な構成要素であることは言うまでもない。
【００３５】
また、厨芥容器１全体の形状や寸法が、用途や目的に応じて適宜変更できることも言うまでもない。
【符号の説明】
【００３６】
１  厨芥容器
２  胴体
３  蓋体
４  籠体
５  受け皿
６  ボルト
７  支持板
８  ボルト
９  篩板
【図１】
0003192078.tif 000003
【図２】
0003192078.tif 000004
【図３】
0003192078.tif 000005
【図４】
0003192078.tif 000006